(57)【特許請求の範囲】
【請求項１】
非同期ネットワークを介して端末を接続した伝送装置を相互に同期ネットワークにより接続し、送信元端末からの非同期データを送信元伝送装置から複数の伝送路に同時に同期データに変換して送出し、送信先伝送装置は、前記同期ネットワークによる複数の受信経路を選択し、受信した同期データを非同期データに変換して前記非同期ネットワークを介して送信先端末へ送出するデータ伝送システムの伝送装置に於いて、
前記同期ネットワークによる複数の受信経路を選択する受信経路選択部と、
少なくとも一定の周期で前記同期ネットワークに疎通確認フレームを送出する疎通確認フレーム送出手段と、
前記同期ネットワークを介して受信した疎通確認フレームの受信経路対応の受信時刻を格納する疎通確認テーブルと、
該疎通確認テーブルに格納された受信時刻と一定周期の現在時刻との差が所定値を超えた時に該受信時刻対応の受信経路に障害が発生したと判定して前記受信経路選択部に受信経路切替指示を送出する受信経路判定部と
を備えたことを特徴とする伝送装置。
【請求項２】
非同期ネットワークを介して端末を接続した伝送装置を相互に同期ネットワークにより接続し、送信元端末からの非同期データを送信元伝送装置から複数の伝送路に同時に同期データに変換して送出し、送信先伝送装置は、前記同期ネットワークによる複数の受信経路を選択し、受信した同期データを非同期データに変換して前記非同期ネットワークを介して送信先端末へ送出するデータ伝送システムの伝送装置に於いて、
前記端末からの非同期データの送信元端末識別情報を抽出して受信時刻と共に格納する端末識別学習テーブルと、
該端末識別学習テーブルの内容を端末識別通知フレームにより前記同期ネットワークに接続された全伝送装置に送出する端末識別通知フレーム送出手段と、
前記同期ネットワークを介して受信した前記端末識別通知フレームの内容の前記端末識別情報を該端末識別通知フレームの送信元伝送装置対応に格納して、各伝送装置配下の端末識別情報を学習する伝送装置識別学習テーブルと
を備えたことを特徴とする伝送装置。
【請求項３】
前記端末識別通知フレームを少なくとも一定周期で前記同期ネットワークに送出する端末識別通知フレーム送出手段と、前記同期ネットワークを介して受信した前記端末識別通知フレームの受信経路対応の受信時刻を格納する疎通確認テーブルと、該疎通確認テーブルに格納された受信時刻と一定周期の現在時刻との差が所定値を超えた時に該受信時刻対応の受信経路に障害が発生したと判定して前記受信経路の切替えを行わせる受信経路判定部とを備えたことを特徴とする請求項２記載の伝送装置。
【請求項４】
非同期ネットワークを介して端末を接続した伝送装置を相互に同期ネットワークにより接続し、送信元端末からの非同期データを送信元伝送装置から複数の伝送路に同時に同期データに変換して送出し、送信先伝送装置は、前記同期ネットワークによる複数の受信経路を選択し、受信した同期データを非同期データに変換して前記非同期ネットワークを介して送信先端末へ送出するデータ伝送方法に於いて、
前記伝送装置から前記同期ネットワークに少なくとも一定周期で疎通確認フレームを送出し、
該疎通確認フレームを受信した伝送装置は、受信経路対応に該疎通確認フレームの受信時刻を疎通確認テーブルに格納し、
一定周期で前記疎通確認テーブルに格納された受信経路対応の疎通確認フレームの受信時刻と現在時刻とを比較し、その差が所定値を超えた時に、該受信時刻対応の受信経路に障害が発生したと判定して、正常な受信経路を選択するように受信経路選択部を制御する過程を含む
ことを特徴とするデータ伝送方法。
【請求項５】
非同期ネットワークを介して端末を接続した伝送装置を相互に同期ネットワークにより接続し、送信元端末からの非同期データを送信元伝送装置から複数の伝送路に同時に同期データに変換して送出し、送信先伝送装置は、前記同期ネットワークによる複数の受信経路を選択し、受信した同期データを非同期データに変換して前記非同期ネットワークを介して送信先端末へ送出するデータ伝送方法に於いて、
前記端末からの非同期データの送信元端末識別情報を抽出して端末識別学習テーブルに格納し、
該端末識別学習テーブルの内容を端末識別通知フレームにより前記同期ネットワークに接続された全伝送装置に送出し、
前記同期ネットワークを介して受信した前記端末識別通知フレームの内容の前記端末識別情報を該端末識別通知フレームの送信元伝送装置対応に伝送装置識別学習テーブルに格納し、
前記非同期ネットワークを介した前記端末からの非同期データに、該端末の識別情報を基に前記伝送装置識別学習テーブルを参照して送信先の伝送装置識別情報を付加し、前記同期ネットワークに送出する過程を含む
ことを特徴とするデータ伝送方法。
【発明の詳細な説明】
【０００１】
【発明の属する技術分野】
本発明は、冗長構成の伝送路で伝送装置の相互間を接続して同期データを伝送し、且つ前記伝送装置に非同期データの送受信を行う端末を接続したデータ伝送システムに於ける伝送装置及びデータ伝送方法に関する。
【０００２】
【従来の技術】
複数の端末をＬＡＮ（ローカル・エリア・ネットワーク）等の非同期ネットワークを介して伝送装置に接続し、各伝送装置間を、０系と１系との二重化した冗長構成の同期ネットワークの伝送路により接続し、端末と伝送装置との間は非同期データとして送受信し、伝送装置間は同期データとして送受信すると共に、二重化した伝送路の一方を現用、他方を予備として、送信側の伝送装置は、現用，予備の両方の伝送路に同一の同期データを送出し、受信側の伝送装置は、現用の伝送路を介して伝送された同期データを受信処理し、この現用の伝送路の障害発生により、予備の伝送路に切替えて、この予備の伝送路を介して伝送された同期データを受信処理するシステムが知られている。
【０００３】
例えば、図２８に示すように、伝送装置Ａ，Ｂ間を、同期ネットワークの二重化した伝送路＃１−０，＃２−０，＃１−１，＃２−１により接続してＳＤＨフレーム等の同期データを伝送し、又端末Ｔ１，Ｔ２，Ｔ３，Ｔ４を、ＬＡＮ等の非同期ネットワークを介して伝送装置Ａ，Ｂに接続して、ＭＡＣフレーム等の非同期データを伝送するネットワークが知られている。
【０００４】
この伝送装置Ａ，Ｂ間の二重化伝送路の経路選択機能の要部を図２９に示す。同図に於いて、Ｔａ，Ｔｂは端末、１０１，１０２は伝送装置Ａ，Ｂ（図２８参照）に対応する伝送装置、１０３，１０４は受信部、１０５，１０６は異常検出部、１０７は受信経路セレクタ、１０８は送信部を示す。端末Ｔａからの非同期データを受信した伝送装置１０１は、送信部１０８に於いて同期データに変換して、二重化した伝送路に送出する。
【０００５】
伝送装置１０２は、受信部１０３，１０４により同一の同期データを受信し、異常検出部１０５，１０６に於いて、受信断検出，アラーム表示信号（ＡＩＳ）検出，ＳＤＨフレームのセクション・オーバヘッドのＫ１，Ｋ２バイトによる切替指示検出により、受信経路セレクタ１０７に切替信号を加えて受信経路の切替えを行う。そして、図示を省略した機能により非同期データに変換して端末Ｔｂに送出する。例えば、受信経路セレクタ１０７が実線矢印の経路を選択している時に、異常検出部１０５に於いて異常検出を行うと、切替信号を受信経路セレクタ１０７に加えて、点線矢印の経路に切替える。それによって、受信部１０３により受信処理した同期データは、受信部１０４により受信処理される同期データに切替えられて、端末Ｔｂに送出すされ、受信部１０３側の伝送路障害等によっても、受信部１０４側に於いて同期データを受信処理することができる。
【０００６】
又図３０に示すように、伝送装置Ａ，Ｂ，Ｃを、同期ネットワークとしてのリング状の伝送路＃１−０，＃１−１，＃２−０，＃２−１，＃３−０，＃３−１により接続し、非同期ネットワークとしてのＬＡＮを介して端末Ｔ１〜Ｔ６をそれぞれ接続したリング状のネットワークが知られている。
【０００７】
図３１は、図３０に於ける端末Ｔ１，Ｔ５間の経路の概要を示し、１１０，１１３は送信部  、１１１，１１２は受信経路セレクタを示す。伝送装置Ａ，Ｃ間は、伝送路＃３−０，＃３−１との経路と、伝送装置Ｂを介した伝送路＃１−０，＃１−１，＃２−０，＃２−１との経路とがあり、端末Ｔ５からの非同期データを送信部１１０により同期データに変換して、伝送路＃３−０，＃２−１とに送出する。伝送装置Ａの受信経路セレクタ１１２は、例えば、図示の実線矢印のように、伝送装置Ｂを介した伝送路＃１−１の経路を選択し、非同期データに変換して端末Ｔ１に送出する。
【０００８】
又伝送装置Ａの送信部３は、端末Ｔ１からの非同期データを送信部１１３により同期データに変換し、伝送路＃３−１，＃１−０とに送出する。伝送装置Ｂの受信経路セレクタ１１１は、例えば、実線矢印のように、伝送路＃３−１の経路を選択し、非同期データに変換して端末Ｔ５に送出する。
【０００９】
又図３０に於ける伝送装置Ａ，Ｂ，Ｃに対して、図示を省略しているが、更に伝送装置Ｄと、それらの４個の伝送装置Ａ，Ｂ，Ｃ，Ｄに対して、中心的な位置に配置した１個の伝送装置Ｅとを設け、その中心的な位置の伝送装置Ｅを介してそれぞれ同期ネットワークの伝送路により接続してメッシュ状のネットワークを構成することもできる。その場合、伝送装置Ａ，Ｂ，Ｃ，ＤにそれぞれＬＡＮ等の非同期ネットワークを介して端末Ｔ１〜Ｔ８を接続した構成とすることができる。このようなネットワークに於ける伝送装置Ａに接続された端末Ｔ１と、伝送装置Ｃに接続された端末Ｔ５との間の経路の概要を図３２に示す。同図に於いて、１１５，１１８は送信部、１１６，１１７は受信経路セレクタを示す。
【００１０】
端末Ｔ５からの非同期データは、送信部１１５により同期データに変換して伝送路ｇ，ｈ，ｉに送出し、伝送装置Ｅから伝送装置Ａには、伝送路ａ，ｂ，ｃを介して伝送する。従って、伝送装置Ａの受信経路セレクタ１１７は、伝送路ａ，ｂ，ｃの何れかを選択して、同期データを非同期データに変換し、端末Ｔ１に送出する。同様に、端末Ｔ１からの非同期データを送信部１１８により同期データに変換して、伝送路ａ，ｂ，ｃに送出し、伝送装置Ｃの受信経路セレクタ１１６は、伝送路ｇ，ｈ，ｉの何れかを選択して、同期データを非同期データに変換し、端末Ｔ５に送出する。
【００１１】
又前述の各伝送装置は、端末の例えばＭＡＣ（Ｍedia  Ａccess Ｃontrol）アドレスによって管理し、送信先ＭＡＣアドレスに対応した方路に送出し、又受信データに付加された送信先ＭＡＣアドレスが自伝送装置の配下の端末のＭＡＣアドレスの場合に、受信処理したデータをその端末へ送出する手段を適用している。この場合のＭＡＣアドレスと端末又は方路との関連を学習してテーブルに格納する手段が知られている。
【００１２】
例えば、図３３に示すように、ブリッジ１２０は、学習テーブル１２１とＭＡＣデータ送受信部１２２とを含み、学習テーブル１２１に、ＭＡＣアドレスと方路との関係を順次学習して格納するものである。例えば、方路１から送信元ＭＡＣアドレスＡと送信先ＭＡＣアドレスＣとを含むＭＡＣフレームをＭＡＣデータ送受信部１２２に於いて受信すると、送信元ＭＡＣアドレスＡの端末が方路１に接続されていることを認識できる。そこで、ＭＡＣデータ送受信部１２２から学習テーブル１２１に、▲１▼ＭＡＣアドレスＡ→方路１として示すように、ＭＡＣアドレス学習を行わせる。
【００１３】
又方路２から送信元ＭＡＣアドレスＢと送信先ＭＡＣアドレスＡとを含むＭＡＣフレームをＭＡＣデータ送受信部１２２に於いて受信すると、ＭＡＣデータ送受信部１２２は、学習テーブル１２１に、▲２▼ＭＡＣアドレスＢ→方路２として示すように、方路２にＭＡＣアドレスＢが接続されていることが判る。即ち、ＭＡＣアドレス学習を行わせることができる。それにより、他の方路から例えば送信先ＭＡＣアドレスＡを付加したＭＡＣフレームをＭＡＣデータ送受信部１２２に於いて受信すると、学習テーブル１２１を参照して、ＭＡＣアドレスＡの端末は方路１に接続されていることが判るから、そのＭＡＣフレームを方路１に送出する。同様に、送信先ＭＡＣアドレスＢを付加したＭＡＣフレームは、方路２に送出することができる。
【００１４】
又新たに学習したアドレスが存在する場合に、このアドレスをネットワーク内の全伝送装置に対して最新の識別子を付加した同一のフレームでブロードキャストし、各伝送装置は、アドレステーブルの更新処理を行うことにより、端末の増設等に於ける新たなアドレスが発生した場合、ネットワーク内の伝送装置に通知する手段が知られている（例えば、特開平９−１０７３７１号公報参照）。
【００１５】
【発明が解決しようとする課題】
冗長構成の伝送路を用いることにより、データ伝送の信頼性を向上することができるが、その場合に、障害発生伝送路から健全な伝送路側に切替える必要がある。例えば、同期データを伝送する場合、データが連続して伝送されるものであるから、データを一定時間受信できない場合は、伝送路の障害と判定して、受信経路の切替えを行うことができる。これに対して、非同期データを伝送する場合は、データの受信間隔が不定であるから、データを一定時間受信できない場合でも、障害と判定することができないものである。従って、非同期データを伝送する場合の伝送路の切替えに要する時間が長くなる問題がある。
【００１６】
又物理的にループを形成しているネットワークに於いては、スパニング・ツリー・プロトコル（Ｓpanning Ｔree Ｐrotocol ）によってツリー状の伝送経路が形成されているか否かを確認し、無限ループのような異常な経路の発生を検出すると、スパニング・ツリーの再構築を開始する。この再構築完了までの比較的長い時間、例えば、５０秒程度の時間、通常のデータの伝送が中止される問題がある。
【００１７】
又送信先ＭＡＣアドレスによる学習機能に於いて、送信元の端末から受信するＭＡＣアドレス単位に、アドレス学習結果の保持時間（エージングタイマ値）を設定する必要があり、ネットワークに接続される全端末対応のアドレス毎にエージングタイマ値を設定するタイマをチェックする必要が生じるから、高性能の機構が必要となり、装置コストが上昇する問題がある。
【００１８】
又新たに学習したアドレスを他の伝送装置に通知する従来の手段は、ブロードキャストにより新たなアドレスを通知するもので、このブロードキャストのデータを受信できなかった伝送装置のアドレステーブルは、他の伝送装置のアドレステーブルと相違する内容となり、それにより、安定なデータの伝送ができなくなる問題がある。
【００１９】
本発明は、定期的なデータの送受信により伝送路の正常性の確認を容易とし、又学習した全アドレスを通知して、ネットワーク内の各アドレスの統一性を維持し、安定なデータ伝送を可能とすることを目的とする。
【００２０】
【課題を解決するための手段】
本発明の伝送装置は、図１を参照して説明すると、非同期ネットワークを介して端末を接続した伝送装置を相互に同期ネットワークにより接続し、送信元端末からの非同期データを送信元伝送装置から複数の伝送路に同時に同期データに変換して送出し、送信先伝送装置は、前記同期ネットワークによる複数の受信経路を選択し、受信した同期データを非同期データに変換して前記非同期ネットワークを介して送信先端末へ送出するデータ伝送システムの伝送装置であって、同期ネットワークによる複数の受信経路を選択する受信経路選択部６と、少なくとも一定の周期で同期ネットワークに疎通確認フレームを送出する疎通確認フレーム通知部１０や伝送路データ送信部２等を含む疎通確認フレーム送出手段と、同期ネットワークを介して受信した疎通確認フレームの受信経路対応の受信時刻を格納する疎通確認テーブル８と、この疎通確認テーブル８に格納された受信時刻と一定周期の現在時刻との差が所定値を超えた時に、この受信時刻対応の受信経路に障害が発生したと判定して、受信経路選択部６に受信経路切替指示を送出する受信経路判定部７とを備えている。
【００２１】
又本発明の伝送装置は、端末からの非同期データの送信元端末識別情報を抽出して受信時刻と共に格納する端末識別学習テーブルと、この端末識別学習テーブルの内容を端末識別通知フレームにより、同期ネットワークに接続された全伝送装置に送出する端末識別通知フレーム送出手段と、同期ネットワークを介して受信した端末識別通知フレームの内容の端末識別情報を、この端末識別通知フレームの送信元伝送装置対応に格納して、各伝送装置配下の端末識別情報を学習する伝送装置識別学習テーブルとを備えている。又同期ネットワークを介して受信した端末識別通知フレームの受信経路対応の受信時刻を格納する疎通確認テーブルと、この疎通確認テーブルに格納された受信時刻と一定周期の現在時刻との差が所定値を超えた時に、この受信時刻対応の受信経路に障害が発生したと判定して受信経路の切替えを行わせる受信経路判定部６とを備えることができる。
【００２２】
又本発明のデータ伝送方法は、非同期ネットワークを介して端末を接続した伝送装置を相互に同期ネットワークにより接続し、送信元端末からの非同期データを送信元伝送装置から複数の伝送路に同時に同期データに変換して送出し、送信先伝送装置は、同期ネットワークによる複数の受信経路を選択し、受信した同期データを非同期データに変換し、非同期ネットワークを介して送信先端末へ送出するデータ伝送方法であって、伝送装置から同期ネットワークに少なくとも一定周期で疎通確認フレームを送出し、この疎通確認フレームを受信した伝送装置は、受信経路対応に疎通確認フレームの受信時刻を疎通確認テーブルに格納し、一定周期で疎通確認テーブルに格納された受信経路対応の疎通確認フレームの受信時刻と現在時刻とを比較し、その差が所定値を超えた時に、この受信時刻対応の受信経路に障害が発生したと判定して、正常な受信経路を選択するように受信経路選択部を制御する過程を含むものである。
【００２３】
又本発明のデータ伝送方法は、端末からの非同期データの送信元端末識別情報を抽出して、非同期データの受信時刻と共に端末識別学習テーブルに格納し、この端末識別学習テーブルの内容を端末識別通知フレームにより同期ネットワークに接続された全伝送装置に送出し、同期ネットワークを介して受信した端末識別通知フレームの内容の端末識別情報を、端末識別通知フレームの送信元伝送装置対応に伝送装置識別学習テーブルに格納し、非同期ネットワークを介した端末からの非同期データに、端末の識別情報を基に伝送装置識別学習テーブルを参照して送信先の伝送装置識別情報を付加して同期ネットワークに送出する過程を含むものである。
【００２４】
【発明の実施の形態】
図１は本発明の第１の実施の形態の要部説明図であり、１は伝送装置、２は伝送路データ送信部、３は伝送路データ受信部、４は端末データ受信部、５は端末データ送信部、６は受信経路選択部、７は受信経路判定部、８は疎通確認テーブル、９は識別部付与部、１０は疎通確認フレーム通知部を示す。又伝送路データ送信部２及び伝送路データ受信部３は、Ｎ（＝３の場合を図示）本の同期ネットワークの伝送路と接続した場合を示し、又端末データ受信部４及び端末データ送信部５は、ＬＡＮ等の非同期ネットワークを介して図示を省略した端末と接続する。
【００２５】
端末データ受信部４は、非同期ネットワークを介して端末からのデータフレームを受信し、識別部付与部９に於いて、受信データフレームに識別部（ヘッダ部）を付与し、送信元として自伝送装置識別情報をその識別部に設定する。又疎通確認フレーム通知部１０は、疎通確認フレームを示すフレーム識別情報と、送信元の自伝送装置の識別情報とを識別部に設定した疎通確認フレームを生成して伝送路データ送信部２に転送する。伝送路データ送信部２は、ＭＡＣフレーム等の非同期データを、ＳＤＨフレーム等の同期データに変換し、同期ネットワークの全伝送路に対して、この疎通確認フレーム又はデータフレームを送信する機能を備えている。又疎通確認フレーム通知部１０は、少なくとも一定周期で疎通確認フレームの送出制御を行うものである。
【００２６】
伝送路データ受信部３は、ＳＤＨフレーム等の同期データを、ＭＡＣフレーム等の非同期データに変換する機能を備え、同期ネットワークの各伝送路からのデータフレームを抽出し、データフレームの識別部のフレーム識別情報により、疎通確認フレームか非同期ネットワークに送出するデータフレームかを識別し、疎通確認フレームは、受信経路判定部７に転送する。又データフレームは、識別部（ヘッダ部）を取り除き、受信経路選択部６を介して端末データ送信部５に転送する。
【００２７】
受信経路判定部７は、疎通確認フレームを受信した時刻情報を各伝送装置及び受信経路対応に疎通確認テーブル８に格納する。又受信経路判定部７は、一定周期で疎通確認テーブル８の各伝送装置及び受信経路からの疎通確認フレームの受信時刻と、現在時刻とを比較して、所定の時間以上経過した受信経路は障害発生と判定し、受信経路の切替指示を受信経路選択部６に加える。受信経路選択部６は、受信経路判定部７からの指示に従って伝送路データ受信部３を介した伝送経路を切替えて、データフレームを端末データ送信部５から非同期ネットワークを介して端末へ送信する。
【００２８】
従って、疎通確認フレームを送出する周期毎に受信経路の正常性を確認し、異常発生を検出した時に、健全な受信経路に切替えることができる。即ち、受信経路対応に存在確認タイマを設けて受信経路の監視を行っていることに相当し、複数の受信経路からのデータを重複することなく、且つ障害発生を迅速に検出して受信経路の切替えを行うことができる。
【００２９】
図２は伝送フォーマットの説明図であり、レイヤ（Ｌａｙｅｒ）構成として、データリンク層と、ＩＴフレームレイヤと、ＩＴセルレイヤと、ＳＤＨレイヤとの構成とした場合を示し、データリンク層のフォーマットに於けるＰＡはプリアンブル（Ｐreamble ）、ＳＦＤはフレーム開始デリミタ（Ｓtart  Ｆrame  Ｄelimiter）、ＤＡは送信先ＭＡＣアドレスで、例えば、オールＦ16の時にブロードキャストアドレスとなる。又ＳＡは送信元ＭＡＣアドレス、ＤＡＶＬＡＮ−ＴＡＧはバーチャルＬＡＮのタグ、ＬＥＮＧＴＨ／ＴＹＰＥはデータフィールドに格納されているデータのオクテット数又は上位層のプロトコルを示すタイプを付加するフィールド、ＤＡＴＡ／ＰＡＤはデータのフィールドで、最低６４バイトとする為の不足分をパッド部として付加するフィールド、ＦＣＳはフレーム・チェック・シーケンス（Ｆrame  Ｃheck  Ｓequence ）で、各フィールドの上部はバイト数を示し、ＭＡＣフレームとしては６４〜１５２２バイトの構成となる。
【００３０】
又ＩＴフレームレイヤのフォーマットは、ＭＡＣフレームのフレーム・チェック・シーケンスＦＣＳを除いたフィールドをフレームデータＦＤＡＴＡとし、それにフレーム・チェック・シーケンスＦＣＳと、全長Ｌとを付加した構成となる。又ＩＴセルレイヤのフォーマットは、ＩＴフレームを７３バイト毎に分割してセルデータＣＤＡＴＡとし、５バイトのヘッダ部を付加した構成となる。このヘッダ部は、図１に於ける識別部付与部９に於いて付与した識別部に相当する。
【００３１】
又ヘッダ部に於けるＣＮＴは制御フィールド、ＤＡは送信先伝送装置アドレスで、例えば、０は無効、２５５はブロードキャストを示す。又ＳＡは送信元伝送装置アドレスで、０及び２５５は無効を示す。又ＬＩＦＥはＩＴセルを中継送出する毎に−１して、０の値のＩＴセルを受信すると、そのＩＴセルを破棄する。又ＨＥＣはヘッダ誤り制御（Ｈeader Ｅrror  Ｃontrol）を示す。又ヘッダ部のＵＳＤはＩＴセルの有効／無効ビット、ＤＬ〔１−０〕はセル分割デリミタで、フレームデータＦＤＡＴＡを分割した位置を示すもので、例えば、“００”は最初のセル、“０１”は中間のセル、“１０”は最終のセル、“１１”はシングルセルを示す。又ＦＴはフレームタイプビット、ＲＡＶは中継可能ビット（ＲelayＡvailable  Ｂit）、ＧＰは“１”によりグループアドレスであることを示し、“０”により通常のアドレスであることを示すビット、Ｒｓｖはリザーブビットを示す。
【００３２】
又ＳＤＨレイヤのフォーマットは、ＳＤＨのＤＡＴＡ−ＴＳとして示すペイロードに単一又は複数のＩＴセルを挿入し、例えば、１．５Ｍｂｐｓ〜１０２．０１６Ｍｂｐｓの伝送速度とする。そして、伝送装置間を接続する伝送路に、ＳＤＨフォーマットの同期データとして送信する。又伝送路を介して受信した同期データのペイロードからＩＴセルを抽出し、そのヘッダ部の送信先伝送装置アドレスＤＡにより自伝送装置宛か否かを判定し、自伝送装置宛又はブロードキャストの場合、そのヘッダ部を除いてＩＴフレームに組立て、そのフレームデータＦＤＡＴＡをＭＡＣフレームの主要部として組立てて、非同期データとして端末へ送出する。
【００３３】
図３はＩＴフレームレイヤ部の要部説明図であり、前述の階層構成とした時のＩＴフレームレイヤの処理を行う伝送装置内の機能の要部を示し、１１はＩＴフレームレイヤ部、１２はＩＴセルのインタフェース部、１３はＭＡＣフレームのインタフェース部、１４はＩＴフレームの組立／分解部、１５はフレームタイプ識別部、１６は同報送信処理部、１７は方路選択部、１８は受信バッファ、１９は選択部、２０は送信バッファを示す。
【００３４】
ＩＴフレームは、前述のように、ＭＡＣフレームのプリアンブルＰＡとフレーム開始デリミタＳＦＤとフレーム・チェック・シーケンスＦＣＳとを除き、全長Ｌとフレーム・チェック・シーケンスＦＣＳとを付加したものであり、インタフェース部１３を介して図示を省略したＬＡＮ等に接続した端末との間でＭＡＣフレームとして送受信し、又インタフェース部１２を介して図示を省略したＩＴセル部との間でＩＴセルを送受信し、組立／分解部１４に於いてＩＴセルからＩＴフレームに、又反対に、ＩＴフレームからＩＴセルに変換する。
【００３５】
フレームタイプ識別部１５は、ＩＴセルのヘッダ部のフレームタイプビットＦＴにより、疎通確認フレーム等の制御フレームかデータフレームかを識別し、制御フレームは受信バッファ１８に一旦格納して、図示を省略したプロセッサに転送する。又データフレームについては、方路選択部１７により０系と１系との選択を行い、インタフェース部１３を介して端末側へ送出する。
【００３６】
又送信バッファ２０は、図示を省略した前述のプロセッサからの疎通確認フレーム等の制御フレームを一旦格納し、選択部１９により、インタフェース部１３を介した端末側からのデータフレームと、送信バッファ２０からの制御フレームとを選択し、同報送信処理部１６から０系と１系とに送出し、組立／分解部１４に於いてＩＴセルに分解して、０系と１系として、インタフェース部１２を介してＩＴセル部に送出する。図示を省略したＩＴセル部は、ＳＤＨフレームのペイロードにＩＴセルを挿入して、０系と１系との伝送路に送出する。又０系と１系との伝送路を介して受信したＳＤＨフレームのペイロードからＩＴセルを分離するものである。
【００３７】
図４は疎通確認テーブルの説明図であり、図１に於ける疎通確認テーブル８の一例を示す。伝送装置１〜伝送装置ｎ対応の疎通管理情報の領域を有し、各領域に、右側に示すように、伝送装置識別番号と、受信経路を示す伝送路１〜伝送路ｎ対応の疎通確認フレーム受信時刻とを格納する。
【００３８】
図５はフレーム構成説明図であり、図１に於ける識別部付与部９に於いてフレームデータに識別部としてヘッダ部を付与した概略の構成を示し、ヘッダ部は、図２のＩＴセルレイヤのヘッダ部に相当するものであり、送信先伝送装置識別情報と、送信元伝送装置識別情報と、データ長と、フレーム識別情報とを含む構成の場合を示す。なお、疎通確認フレームはブロードキャストするものであるから、送信先伝送装置識別情報を省略してシーケンス番号のフィールドを設けることができる。この疎通確認フレームは、疎通確認フレーム通知部１０の機能によって例えば一定周期で伝送路データ送信部２に通知し、フレーム識別情報により疎通確認フレームであることを示す同期データを、同期ネットワークに接続された全伝送装置に対してブロードキャストする。
【００３９】
伝送路データ受信部３は、フレーム識別情報によってデータフレームか疎通確認フレームかを識別し、疎通確認フレームは受信経路判定部７に転送し、データフレームは受信経路選択部６に転送する。受信経路判定部７は、疎通確認テーブル８に、図４に示すように、送信元伝送装置識別情報対応の領域に、受信経路対応の受信時刻を格納し、この受信時刻を基に受信経路の正常性を確認する。
【００４０】
図６は受信経路判定部の処理フローチャートであり、図１に於ける受信経路判定部７の動作の概要を示し、（Ａ）は受信経路判定処理、（Ｂ）は疎通確認フレームの受信処理を示す。この受信処理は、図１に於ける伝送路データ受信部３が疎通確認フレームを受信し（Ｂ１）、受信経路判定部７に疎通確認フレームを転送すると、受信経路判定部７は送信元伝送装置識別情報を抽出し（Ｂ２）、疎通確認テーブル８に、図４に示すように、送信元伝送装置識別情報及び受信経路対応の疎通確認フレーム受信時刻を設定する（Ｂ３）。
【００４１】
又受信経路判定部７に於ける判定処理は、疎通確認テーブル８に於いて管理する伝送装置を順次検索するループとし（Ａ１）、疎通確認テーブル８の送信元伝送装置識別情報対応の受信時刻ｔ３と一定周期の現在時刻ｔ２とを比較し（Ａ２）、（ｔ２−ｔ３）≧ｔ５か否か、即ち、予め設定した一定時間ｔ５を経過したか否かを判定し（Ａ３）、経過してない場合は、その送信元伝送装置対応の受信経路は正常と判定し、ステップ（Ａ１）に移行する。又一定時間ｔ５を経過した場合は、受信経路異常と判定し、その異常受信経路は現在の受信経路か否かの調べる行う（Ａ４）。
【００４２】
そして、現在の受信経路であるか否かを判定（Ａ５）し、現在の受信経路でない場合は、受信経路の切替えを行わず、ステップ（Ａ１）に移行する。又現在の受信経路の場合は、切替実施を行うもので、複数の受信経路の中の使用可能の受信経路の判定を行い（Ａ６）、使用可能の受信経路に切替えるように受信経路選択部６に切替指示を行い（Ａ７）、ステップ（Ａ１）に移行する。そして、疎通確認テーブル８の送信元伝送装置について総て判定すると、処理を終了する。
【００４３】
疎通確認フレームは、一定周期ｔで送出するか、又は最近のデータフレーム送出から一定時間後に送出するか、又は非同期ネットワークからデータが受信されない場合に、一定周期で送出することができる。即ち、少なくとも一定周期で同期ネットワークに送出するものである。又疎通確認フレームの受信時刻ｔ３と現在時刻ｔ２との差と比較する一定時間ｔ５は、少なくとも疎通確認フレームを送出する一定周期ｔより大きい値に設定することになる。
【００４４】
又ステップ（Ａ６）に於ける複数の受信経路の中の使用可能の受信経路の判定は、複数の受信経路に対して、
(1).最近データフレームを受信した経路、
(2).最近データフレーム異常検出がない期間が最も長い経路、
(3).受信経路に番号を付与し、その番号順の経路、
(4).受信経路を未確定とし、その後にデータフレームを受信した経路、
等の方法を適用することができる。
【００４５】
図７は疎通確認フレームの説明図であり、例えば、図３２に於ける伝送装置Ａと伝送装置Ｃとを伝送装置Ｅを介して同期ネットワークの伝送路ａ，ｇを介して接続したネットワークに於いて、伝送装置Ａから疎通確認フレームを送出すると、伝送装置Ｃの受信経路判定部７は、図示を省略した疎通確認テーブル８に、伝送装置Ａ対応に、疎通確認フレームの受信時刻ｔ３を設定する。そして、現在時刻ｔ２との差が一定時間ｔ５を超えているか否かを判定する。この場合、（ｔ２−ｔ３）＜ｔ５であるとすると、この受信経路は正常であり、伝送装置Ａからのデータフレームを伝送装置Ｃは正常に受信できることになる。
【００４６】
疎通確認フレームを一定周期で送出する場合、伝送装置Ａから次の疎通確認フレームを送出し、伝送装置Ｃは時刻ｔ３’で受信し、この場合も現在時刻との差が一定時間ｔ５を超えないとし、更に次の疎通確認フレームを送出した時に、伝送路ａ又は伝送路ｇの異常により、伝送装置Ｃは、データフレームは勿論のこと、疎通確認フレームも受信できない状態となった時、受信経路判定部７は、疎通確認フレームの受信時刻ｔ３’と現在時刻ｔ２’とは、（ｔ２’−ｔ３’）＞ｔ５の関係となる。即ち、時間差が一定時間ｔ５を超えることになる。それにより、受信経路判定部７は、伝送路ａ／ｇの受信経路の異常と判定し、受信経路選択部６を制御して、例えば、伝送路ｂ／ｈ（図３２参照）の受信経路に切替える。従って、端末間の非同期データの送受信が一定時間ｔ５以上継続する場合でも、その間に疎通確認フレームを送受信することにより、同期ネットワークの受信経路の正常性を確認することができる。又受信経路の異常発生も迅速に検出して、健全な受信経路に切替えることができる。
【００４７】
図８は本発明の第２の実施の形態の要部説明図であり、図１と同一符号は同一部分を示し、３１は端末識別学習テーブル、３２は受信端末識別抽出部、３３は送信端末識別抽出部、３４は識別部付与部、３５は伝送装置識別検索部、３６は伝送装置識別学習部、３７は伝送装置識別学習テーブルを示し、以下図１と同一機能部分の動作は省略又は簡略化する。
【００４８】
端末（図示を省略）からＬＡＮ等の非同期ネットワークを介して伝送装置１の端末データ受信部４に於いてＭＡＣフレーム等の非同期データを受信し、送信端末識別抽出部３３により送信先ＭＡＣアドレス等の送信先端末識別情報を抽出し、伝送装置識別検索部３５に通知する。又受信端末識別抽出部３２は、送信元ＭＡＣアドレス等の送信元端末識別情報を抽出し、端末識別学習テーブル３１に端末識別情報とその受信時刻とを格納する。例えば、ｎ個の端末が非同期ネットワークに接続されている場合、図９に示すように、端末識別情報１〜端末識別情報ｎ毎に、前述の送信元ＭＡＣアドレス等の端末識別情報と受信時刻とを格納する。その時、既に端末識別情報が格納されている場合には、最新の受信時刻に更新し、又新たな端末識別情報を抽出した場合は、その端末識別情報と受信時刻とを格納する。即ち、端末識別情報の学習が行われる。
【００４９】
又受信端末抽出部３２は、送信端末識別抽出部３３から転送されたデータフレームを識別部付与部３４と伝送データ送信部２とに転送する。識別部付与部３４は、前述のように、データフレームに識別部（ヘッダ部）を付与する。又伝送装置識別検索部３５は、送信端末識別抽出部３３からの送信先ＭＡＣアドレス等の送信先端末識別情報に対応した送信先伝送装置識別情報を、伝送装置識別学習テーブル３７の検索により読出して識別部付与部３４に転送し、識別部付与部３４は、識別部（ヘッダ部）に送信先伝送装置識別情報を付加して伝送路データ送信部２に転送する。
【００５０】
又伝送装置識別学習テーブル３７に、送信先端末識別情報に対応した送信先伝送装置識別情報が格納されていない場合、送信先伝送装置を指定できないので、伝送装置識別検索部３５は、識別部付与部３４に、ブロードキャストとするように通知する。
【００５１】
又受信端末識別抽出部３２は、一定周期で端末識別学習テーブル３１の端末識別情報対応の受信時刻と現在時刻とを比較し、一定時間以上経過してもデータフレームを受信していない端末についての端末識別学習テーブル３１上の端末識別情報を削除する。従って、端末識別学習テーブル３１は、一定時間内にデータフレームを送出した端末について、その端末識別情報を保持していることになり、撤去された端末や休止中の端末については、その端末識別情報が削除されることになる。
【００５２】
又前述の端末識別学習テーブル３１の設定内容を通知する端末識別通知フレームは、例えば、
(a).データフレームの受信により新たに追加する受信端末識別情報の学習毎に通知する。
(b).一定時間毎に古い端末識別情報を検索し、端末識別学習テーブル３１から削除すると共に、削除した端末識別学習テーブル３１の設定内容を通知する。
等の方法を適用することができる。この場合も少なくとも一定周期で端末識別通知フレームを送出することになる。
【００５３】
この端末識別通知フレームは、例えば、図１０に示すように、送信先伝送装置識別情報と送信元伝送装置識別情報とデータ長とフレーム識別情報とを含むヘッダ部と、フレームデータとからなり、このフレームデータとして、送信元ＭＡＣアドレス等の受信端末識別情報を付加する。又フレーム識別情報によりデータフレームとは異なる制御フレームの一つの端末識別通知フレームであることを通知する。又送信先伝送装置識別情報はブロードキャストアドレスとして、同期ネットワークに接続された全伝送装置に通知する。
【００５４】
又伝送路データ受信部３は、同期ネットワークの受信経路選択機能を含むもので、従って、図１に於ける受信経路選択部６を省略している。又伝送路データ受信部３は、自伝送装置宛又はブロードキャストの同期データを受信して、フレーム識別情報により判定したデータフレームについては端末データ送信部５に転送し、端末識別通知フレームは伝送装置識別学習部３６に転送する。伝送装置識別学習部３６は、端末通知フレームによって通知された受信端末識別情報を基に、図１１に示す構成の伝送装置識別学習テーブル３７の更新制御を行う。即ち、伝送装置識別学習テーブル３７には、端末通知フレームにより通知された伝送装置対応の端末の識別情報が格納され、その時の受信時刻も格納される。なお、送信端末識別抽出部３３と受信端末識別抽出部３２とは、図示の逆の順序の接続構成とすることも可能である。
【００５５】
図１２及び図１３は受信端末識別抽出部の処理フローチャートを示し、受信端末識別抽出部３２は、端末側からのデータフレームを受信すると、送信元端末識別情報について端末識別学習テーブル３１を検索し（Ｃ１）、送信端末識別情報が存在するか否かを判定し（Ｃ２）、存在しない場合は、新規の送信端末識別情報であるから、その受信時刻と共に端末識別学習テーブル３１に追加し（Ｃ３）、伝送路データ送信部２に、端末識別通知フレームを送出するように通知する（Ｃ４）。そして、前述のように、受信端末識別抽出部３２は、端末識別学習テーブル３１の内容をデータとし、識別部付与部３４により識別部（ヘッダ部）を付与した端末識別通知フレームを形成して、伝送路データ送信部２から、同期ネットワークの伝送路に送信する。又ステップ（Ｃ２）に於いて、送信元端末識別情報が端末識別学習テーブル３１に存在すると判定した場合は、端末識別学習テーブル３１の受信時刻を更新する（Ｃ５）。
【００５６】
又受信端末識別抽出部３２は、図１３に示すように、一定周期で、端末識別学習テーブル３１に格納された複数の端末について順次検索する為のループを形成し（Ｄ１）、端末対応に受信時刻と現在時刻との差を求め（Ｄ２）、その差が一定時間を超えたか否かを判定する（Ｄ３）。超えていない場合は、受信経路は正常と判定し、ステップ（Ｄ１）に移行し、又超えている場合は、受信経路は異常と判定し、端末識別学習テーブル３１から比較判定中の端末識別情報を削除する（Ｄ４）。そして、伝送路データ送信部２に、端末識別通知フレームの送出を指示し（Ｄ５）、ステップ（Ｄ１）に移行する。
【００５７】
例えば、図３０に示すネットワーク構成に於いて、伝送装置ＡにＬＡＮを介して接続した端末Ｔ１と、伝送装置ＣにＬＡＮを介して接続した端末Ｔ５との間でデータの送受信を行う場合、端末Ｔ１からの最初のデータフレームを伝送装置Ａが受信すると、伝送装置Ａは、前述の端末識別学習テーブル３１に送信元ＭＡＣアドレス等の送信元端末識別情報を受信時刻と共に格納する。それにより、伝送装置Ａは、端末Ｔ１が自伝送装置の配下であることを認識できるから、端末識別通知フレームとして、ネットワーク上の各伝送装置に、端末Ｔ１が伝送装置Ａの配下であることを通知する。
【００５８】
又端末Ｔ１から端末Ｔ５宛のデータフレームを受信した伝送装置Ａは、送信先の端末Ｔ５が接続されている伝送装置を未だ学習していないから、このデータフレームをブロードキャストする。図３０に於ける伝送装置Ｂ，Ｃは、端末識別通知フレームにより、前述の伝送装置識別学習テーブル３７に、伝送装置Ａの配下に端末Ｔ１が存在することを格納する。即ち、伝送装置Ａ対応の領域に端末Ｔ１の識別情報と端末識別通知フレームの受信時刻とを、図１１に示すように格納する。又伝送装置Ｂ，Ｃは、受信したデータフレームをＬＡＮに送出し、端末Ｔ５は、送信先ＭＡＣアドレス等の送信先端末識別情報を基にデータフレームを受信することができる。その時、伝送装置Ｂでは無駄なトラフィックが生じることになる。
【００５９】
次に、端末Ｔ５から端末Ｔ１に対してデータフレームを送出すると、伝送装置Ｃは、送信元ＭＡＣアドレス等の送信元端末識別情報を受信時刻と共に端末識別学習テーブル３１に格納し、自伝送装置の配下に端末Ｔ５が存在することを認識し、端末識別通知フレームによって、ネットワーク上の各伝送装置に、端末Ｔ５が伝送装置Ｃの配下であることを通知する。それにより、各伝送装置の伝送装置識別学習テーブル３７に、伝送装置Ｃの配下に端末Ｔ５が存在することを格納する。又端末Ｔ５から端末Ｔ１宛のデータフレームは、伝送装置Ｃの伝送装置識別学習テーブル３７に、端末Ｔ１は伝送装置Ａの配下であることが学習されているから、識別部（ヘッダ部）に送信先伝送装置識別情報として、伝送装置Ａの識別情報を挿入して送出する。
【００６０】
それにより、伝送装置Ａは、送信先伝送装置識別情報により自伝送装置宛であることを識別し、そのデータフレームを配下の端末Ｔ１へＬＡＮを介して送出することができる。その時、伝送装置Ｂは、自伝送装置宛でなはないから、そのデータフレームを受信しないので、無駄なトラフィックが生じることはなくなる。又端末識別通知フレームは、一定周期又は伝送装置配下の端末の追加，削除或いはアドレス変更等に対応して送出されるから、各伝送装置は、他の伝送装置配下の端末を認識することが可能となり、送信先端末識別情報に対応した送信先伝送装置識別情報を付加したデータフレームを伝送し、宛先以外の伝送装置に於ける無駄な受信処理を回避することができる。
【００６１】
図１４は本発明の第３の実施の形態の要部説明図であり、図１及び図８と同一符号は同一部分を示し、同一機能部分についての詳細な説明は省略する。この実施の形態は、端末識別通知フレームを疎通確認フレームと兼用した状態で、受信経路の正常性の確認及び伝送装置配下の端末の識別情報の通知を行うことができる。又疎通確認テーブル８は、図４に示す構成を有し、又端末識別学習テーブル３１は、図９に示す構成を有し、又伝送装置識別学習テーブル３７は、図１１に示す構成を有するものである。
【００６２】
端末データ受信部４により図示を省略した端末からＬＡＮ等の非同期ネットワークを介してデータフレームを受信し、送信端末識別抽出部３３によりデータフレームに付加されている送信先ＭＡＣアドレス等の送信端末識別情報を抽出して伝送装置識別検索部３５に通知する。この伝送装置識別検索部３５は、伝送装置識別学習テーブル３７を検索して、送信端末識別情報に対応した送信先伝送装置識別情報を読出し、識別部付与部３４に転送する。
【００６３】
又受信端末識別抽出部３２は、データフレームに付加されている送信元ＭＡＣアドレス等の受信端末識別情報を抽出して端末識別学習テーブル３１に受信時刻と共に格納し、端末識別通知フレームを伝送路データ送信部２から送出するように制御する。又識別部付与部１４によりデータフレームに識別部を付加して、伝送装置識別検索部３５から通知された送信先の伝送装置識別情報を識別部に挿入し、伝送路データ送信部２から同期データとして送出する。
【００６４】
又ネットワーク上の全伝送装置に送出する端末識別通知フレームは、
(A).データフレーム受信により追加となった受信端末識別情報を新規学習した時に通知、
(B). 一定時間毎に受信時刻からの経過が所定時間経過した受信端末識別情報を削除した時に通知、
(C). 前述の条件が一定周期内に発生しないで、受信端末識別情報の新規学習がない時に通知、
等の方法を適用することができる。
【００６５】
又他の伝送装置を介して同期データを伝送路データ受信部３により受信し、データフレームについては受信経路選択部６に転送し、端末識別通知フレームは、受信経路判定部７及び伝送装置識別学習部３６に転送する。受信経路判定部７は、端末識別通知フレームを前述の疎通確認フレームと同様に処理し、疎通確認テーブル８に、受信経路対応に端末識別通知フレームの受信時刻等を格納し、所定時間毎に受信時刻と現在時刻との差が所定時間を超えたか否かを判定し、超えている場合は、受信経路の障害と判定して、受信経路選択部６に受信経路の切替えを指示する。
【００６６】
又伝送装置識別学習部３６は、端末識別通知フレームによる伝送装置とその配下の端末との識別情報を伝送装置識別学習テーブル３７に格納する。従って、伝送装置識別学習テーブル３７には、ネットワークに接続されて動作可能となっている全端末と、各端末が接続されている伝送装置との識別情報を保持していることになる。
【００６７】
図１５は端末識別通知フレームの説明図であり、伝送装置Ａと伝送装置Ｃとの間の伝送路を介してデータフレームを伝送し、一定周期で端末確認通知フレームを伝送する場合を示す。伝送装置Ａから端末確認通知フレームを送出すると、伝送装置Ｃの受信経路判定部７は、伝送路対応の受信時刻を疎通確認テーブル８に格納し、所定時間間隔で現在時刻と端末確認通知フレームの受信時刻とを比較し、その時間差が小さい場合、受信経路が正常と判定する。
【００６８】
その後、伝送装置Ａから一定周期の端末識別通知フレームを送出し、伝送装置Ｃで受信し、前述と同様に所定時間間隔の現在時刻と受信時刻とを比較し、その時間差が小さい場合、受信経路は正常と判定する。しかし、その後のデータフレームや端末識別通知フレームを伝送装置Ｃが受信できない場合、所定時間間隔の現在時刻と受信時刻とを比較すると、時間差が大きいことにより、その受信経路の障害発生と判定し、受信経路判定部７は、受信経路選択部６を制御して、受信経路の切替えを行う。従って、健全な伝送路を介してデータを受信処理することができる。即ち、端末識別通知フレームを前述の例えば図７に於ける疎通確認フレームと同様に、受信経路の正常性の確認に利用することができる。
【００６９】
図１６は本発明の第４の実施の形態の要部説明図であり、図１及び図８と同一符号は同一部分を示し、４０は端末識別送出部である。この実施の形態は、図８に示す実施の形態に、端末識別送出部４０を付加した構成に相当し、この端末識別送出部４０は、一定周期で端末識別学習テーブル３１の内容を端末識別通知フレームとして、伝送路データ送信部２から送出する制御を行うものである。従って、この実施の形態に於ける受信端末識別抽出部３２は、端末識別通知フレームの送出制御機能を省略している。なお、他の図１及び図８と同一機能部分の動作は簡略化して説明する。
【００７０】
又端末識別学習テーブル３１及び伝送装置識別学習テーブル３７は、それぞれ図９及び図１１に示す構成を有し、ＬＡＮ等の非同期ネットワークを介して端末（図示せず）からのデータフレームに付加されている送信元ＭＡＣアドレス等の端末識別情報を受信端末識別抽出部３２により抽出し、その受信時刻と共に端末識別学習テーブル３１に格納する。
【００７１】
又送信端末識別抽出部３３に於いてデータフレームに付加されている送信先ＭＡＣアドレス等の端末識別情報を抽出し、その端末識別情報を送信端末識別検索部３５に通知する。送信端末識別検索部３５は、抽出した端末識別情報に対応した送信先の伝送装置の識別情報を伝送装置識別学習テーブル３７から読出して識別部付与部３４に転送し、データフレームに付加する識別部（ヘッダ部）に、送信先伝送装置識別情報を挿入し、伝送路データ送信部２から同期ネットワークの各伝送路に送出する。
【００７２】
又端末識別送出部４０は、一定周期で、端末識別学習テーブル３１に格納されている端末識別情報対応の受信時刻と現在時刻とを比較し、一定時間を超えた場合は、一定時間以上データフレームを受信していないので、端末識別学習テーブル３１のこの端末識別情報を削除する。
【００７３】
又伝送路データ受信部３は、複数の伝送路を介して受信し、データフレームについては端末データ送信部５からＬＡＮ等の非同期ネットワークを介して図示を省略した端末に送出する。又端末識別通知フレームを受信した時は伝送装置識別学習部３６に転送し、伝送装置識別学習部３６は、端末識別通知フレームによって通知された伝送装置対応の端末識別情報を、伝送装置識別学習テーブル３７に格納する。この場合の伝送路データ受信部３は、図８に示す場合と同様に受信経路の選択機能を備えており、伝送路の障害発生を判定すると、健全な伝送路に切替える制御を行うものである。
【００７４】
図１７は受信端末識別抽出部３２により端末識別学習テーブル３１を制御する端末識別学習処理のフローチャートであり、端末から非同期ネットワークを介してデータフレームを受信し、受信端末識別抽出部３２は、そのデータフレームから抽出した送信元ＭＡＣアドレス等の送信元端末識別情報について端末識別学習テーブル３１を検索し（Ｅ１）、この抽出した端末識別情報が存在するか否かを判定し（Ｅ２）、存在しない場合は、新規端末識別情報と判定し、その端末識別情報を端末識別学習テーブル３１に受信時刻と共に格納する（Ｅ３）。又存在する場合は、既存端末識別情報であるから、端末識別学習テーブル３１に格納されている識別情報対応の受信時刻を更新する（Ｅ４）。
【００７５】
図１８は受信端末識別抽出部３２により端末識別学習テーブル３１を検索し、端末識別情報を削除する時のフローチャートであり、端末識別学習テーブル３１に格納された端末識別情報を順次検索するようにループを形成し（Ｆ１）、検索した端末識別情報対応の受信時刻と現在時刻との差を求める（Ｆ２）。その差が一定時間を超過しているか否かを判定し（Ｆ３）、超過していない場合は、正常と判定し、ステップ（Ｆ１）に移行する。又超過している場合は、異常と判定し、端末識別学習テーブル３１からその端末識別情報を削除し（Ｆ４）、ステップ（Ｆ１）に移行する。そして、ループを形成した全端末識別情報の検索が終了すると、この処理は終了する。
【００７６】
端末識別送出部４０は、前述のように、一定周期で端末識別学習テーブル３１の内容を、端末識別通知フレームとしてブロードキャストする。この端末識別通知フレームを伝送路データ受信部３により受信し、伝送装置識別学習部３６に転送すると、伝送装置識別学習部３６は、伝送装置対応の端末識別情報の上書き保存を行い、且つその受信時刻を更新する。又伝送装置識別学習部３６は、一定周期で現在時刻と受信時刻とを比較し、所定時間を超えている場合は、その伝送装置対応の端末識別情報を削除する。
【００７７】
図１９は本発明の第５の実施の形態の要部説明図であり、１は伝送装置、２は伝送路データ送信部、３は伝送路データ受信部、４は端末データ受信部、５は端末データ送信部、６は受信経路選択部、４１は送信フレーム識別番号テーブル、４２は受信フレーム識別番号テーブル、４３は識別部付与部、４４はフレーム識別番号抽出部、４５はフレーム識別番号判定部を示す。なお、伝送路データ送信部２、伝送路データ受信部３、端末データ受信部４、端末データ送信部５及び受信経路選択部６は、前述の各実施の形態に於ける同一符号の機能部分と同一であるから、それらの説明は簡略化する。
【００７８】
端末（図示を省略）からＬＡＮ等の非同期ネットワークを介して端末データ受信部４により受信したデータフレームに、識別部付与部４３に於いて識別部（ヘッダ部）を付与し、送信フレーム識別番号テーブル４１からのフレームシーケンス番号を付加し、伝送路データ送信部２に於いて同期データに変換し、同期ネットワークの各伝送路に送出する。
【００７９】
この場合のフレーム構成は、例えば、図２０に示すように、ヘッダ部とデータフレームとからなり、そのヘッダ部は、送信元伝送装置識別情報と、データ長と、シーケンス番号と、データフレームか制御フレームか等を識別するフレーム識別情報とからなり、又フレームデータは、例えば、送信先ＭＡＣアドレス等の送信先端末識別情報と、送信元ＭＡＣアドレス等の送信元端末識別情報と、端末間で送受信するデータとを含むものである。
【００８０】
又識別部付与部４３は、データフレームに付与した識別部（ヘッダ部）に、送信フレーム識別番号テーブル４１により管理されるシーケンス番号を挿入し、伝送路データ送信部２に転送し、同期ネットワークの各伝送路にＳＤＨフレーム等の同期データとして送出する。又同期ネットワークの各伝送路から伝送路データ受信部３に於いて受信した同期データからデータフレームを分離し、フレーム識別番号抽出部４４に於いて識別部（ヘッダ部）のシーケンス番号を抽出し、フレーム識別番号判定部４５に通知する。
【００８１】
フレーム識別番号判定部４５は、受信フレーム識別番号テーブル４２を更新し、且つシーケンス番号が正常にインクリメントされていない場合に、受信経路の異常と判定し、受信経路選択部６に切替えの指示を行う。それによって、受信経路選択部６は、健全な受信経路に切替えて端末データ送信部５にデータフレームを転送し、端末データ送信部５は、ＬＡＮ等の非同期ネットワークを介して端末（図示せず）にデータフレームを送信する。
【００８２】
送信フレーム識別番号テーブル４１は、例えば、図２１の（Ａ）に示すように、送信フレームシーケンス番号を格納し、識別部付与部４３によってシーケンス番号を読出して識別部に挿入する毎に＋１（インクリメント）する。又受信フレーム識別番号テーブル４２は、例えば、図２１の（Ｂ）に示すように、伝送装置＃１〜伝送装置＃ｎ対応の受信フレームシーケンス番号を格納する。
【００８３】
フレーム識別番号判定部４５は、フレーム識別番号抽出部４４に於いて抽出したシーケンス番号と、受信フレーム識別番号テーブル４２の受信フレームシーケンス番号とを比較し、同一伝送装置から受信した今回のシーケンス番号が前回のシーケンス番号に対してインクリメントされている場合は正常と判定し、そうでない場合は異常と判定する。
【００８４】
図２２はシーケンス番号判定処理フローチャートであり、データフレームを受信し、フレーム識別番号抽出部４４により識別部（ヘッダ部）に挿入されたフレーム識別情報及びシーケンス番号を抽出し、抽出したシーケンス番号と、受信フレーム識別番号テーブル４２に保持されている前回の送信元伝送装置から受信したデータフレームのシーケンス番号と比較する（Ｇ１）。そして、今回受信したデータフレームのシーケンス番号が、前回のシーケンス番号に対して＋１した値か否かを判定する（Ｇ２）。
【００８５】
この比較を行った時に、＋１した値であれば、受信経路は正常と判定し、処理を終了する。又＋１した値でない場合、例えば、１個のデータフレームの欠落の場合に、＋２した値の受信シーケンス番号となるから、受信経路は異常と判定する。そして、そのデータフレームを受信した経路は現在の受信経路か否かを調査する（Ｇ３）。その結果、現在の受信経路か否かを判定し（Ｇ４）、現在受信経路でない場合は、この処理を終了し、現在の受信経路の場合は、複数の受信経路の中で選択可能の受信経路を判定し（Ｇ５）、受信経路選択部６に、選択した受信経路に切替えるように指示する（Ｇ６）。
【００８６】
又受信経路対応にタイマを設けて、一定時間経過してもデータフレームを受信しない場合に、フレーム識別番号判定部４５は、この受信経路に障害が発生したと判定し、複数の受信経路の中で選択可能の受信経路を判定し（Ｇ６）、その選択した受信経路に切替えるように受信経路選択部６に通知する。
【００８７】
又フレーム識別番号判定部４５に於ける判定は、例えば、図２３の（Ａ）に示すように、シーケンス番号１〜１０のデータフレームについて、シーケンス番号６のデータフレームが欠落し、前回のシーケンス番号５の次にシーケンス番号７のデータフレームを受信した時、シーケンス番号についての前述の＋１の条件を満足しないこととなるから、フレーム識別番号判定部４５は受信経路選択部６に受信経路切替指示を送出することができる。なお、連続して複数個のデータフレーム欠落の場合に受信経路の切替指示を送出する構成とすることも可能である。一般には、端末側はデータフレームの欠落や伝送エラーに対して送信元に再送要求を行う機能を備えているから、欠落したデータフレームについて受信側の端末では復元することが可能である。
【００８８】
又図２３の（Ｂ）に示すように、データフレームの受信毎にタイマをリセットして再スタートさせ、例えば、シーケンス番号６から欠落フレームとなって、タイマがリセットされないと、タイムアウトとなるから、それにより受信経路選択部６に受信経路切替指示を送出することができる。この場合、受信経路（伝送路）対応にタイマを設けることにより、容易に受信経路対応にデータフレームの欠落状態を検出することができる。
【００８９】
図２４は本発明の第６の実施の形態の要部説明図であり、前述の各実施の形態の要部説明図の符号と同一符号は同一部分を示し、５１は伝送装置識別学習テーブル、５２は送信先装置検索部を示す。この実施の形態は、図１９に示す実施の形態に、送信装置識別学習テーブル５１と、送信先装置検索部５２とを追加した構成に相当する。
【００９０】
伝送装置識別学習テーブル５１は、例えば、図１１に示す構成を有し、同期ネットワーク上の伝送装置とその配下の非同期ネットワークを介して接続された端末とをそれぞれの識別情報として、前述の実施の形態に於ける学習手段によって格納する。端末データ受信部４は、ＬＡＮ等の非同期ネットワークを介して図示を省略した端末からのデータフレームを受信し、送信先装置検索部５２に転送する。この送信先装置検索部５２は、データフレーム中の送信先ＭＡＣアドレス等の送信先端末識別情報を抽出して、伝送装置識別学習テーブル５１を検索する。この検索結果、送信先端末識別情報対応の送信先伝送装置識別情報を識別部付与部４３に通知する。
【００９１】
識別部付与部４３は、送信先装置検索部５２を介して転送されたデータフレームに識別部（ヘッダ部）を付与し、送信先装置検索部５２から通知された送信先伝送装置識別情報を識別部に挿入し、且つ送信フレーム識別番号テーブル４１からのシーケンス番号を挿入し、伝送路データ送信部２に転送する。この伝送路データ送信部２は、ＳＤＨフレーム等の同期データとして同期ネットワークの各伝送路に送信する。
【００９２】
識別部付与部４３から伝送路データ送信部２に転送するフレーム構成を図２５に示す。即ち、ヘッダ部（識別部）は、送信先装置検索部５２から通知された送信先伝送装置識別情報と、自伝送装置１の識別情報、即ち、送信元伝送装置識別情報と、データ長と、送信フレーム識別番号テーブル４１からのシーケンス番号とを含み、フレームデータは、送信先ＭＡＣアドレス等の送信先端末識別情報と、送信元ＭＡＣアドレス等の送信元端末識別情報と、端末間で送受信するデータとを含むものである。
【００９３】
又送信フレーム識別番号テーブル４１は、例えば、図２６の（Ａ）に示すように、送信先の伝送装置１〜伝送装置ｎ対応及びブロードキャスト対応の送信シーケンス番号からなり、この送信シーケンス番号を順次インクリメントとする。この今回送出するシーケンス番号に＋１して、次回のシーケンス番号とする処理は、識別部付与部４３又は図示を省略した制御手段によって行うことができる。
【００９４】
又受信フレーム識別番号テーブル４２は、図２６の（Ｂ）に示す構成を有し、送信元の伝送装置１〜伝送装置ｎ対応の受信シーケンス番号を格納するもので、それぞれ自伝送装置宛及びブロードキャストについて受信経路１〜受信経路ｍ対応の受信シーケンス番号を格納する。
【００９５】
伝送路データ受信部３は、複数の伝送路からＳＤＨフレーム等の同期データを受信し、非同期データに変換するもので、それによるデータフレームをフレーム識別番号抽出部４４を介して受信経路選択部６に転送する。フレーム識別番号抽出部４４は、識別部（ヘッダ部）に挿入されたシーケンス番号を抽出してフレーム識別番号判定部４５に通知し、又識別部（ヘッダ部）を除去したデータフレームを受信経路選択部６に転送する。
【００９６】
フレーム識別番号判定部４５は、受信フレーム識別番号テーブル４２に格納されている送信元伝送装置識別情報と受信経路とに対応した前回の受信シーケンス番号と、今回の受信シーケンス番号とを比較して受信経路が正常か否かを判定し、且つ受信フレーム識別番号テーブル４５の受信シーケンス番号を今回の受信シーケンス番号に更新する。
【００９７】
図２７はシーケンス番号判定処理フローチャートを示し、データフレーム受信により、フレーム識別番号抽出部４４は、識別部（ヘッダ部）から送信元伝送装置識別情報とシーケンス番号とを抽出し、このシーケンス番号の受信経路の情報とを含めてフレーム識別番号判定部４５に通知する。このフレーム識別番号判定部４５は、受信フレーム識別番号テーブル４２を、送信元伝送装置と受信経路とを基に検索して、前回のシーケンス番号を求める（Ｈ１）。
【００９８】
このシーケンス番号と、今回の受信シーケンス番号とを比較し（Ｈ２）、今回の受信シーケンス番号が前回のシーケンス番号に対して＋１の値であるか否かを判定し（Ｈ３）、＋１の値の場合は受信経路が正常と判定し、又＋１でない場合は、受信経路は異常と判定する。その異常発生の受信経路は、受信経路選択部６により現在選択されている受信経路か否かを調べる（Ｈ４）。そして、現在の受信経路か否かを判定し（Ｈ５）、現在の受信経路でない場合は、この処理を終了し、現在の受信経路の場合は、選択可能の受信経路を判定し（Ｈ６）、受信経路選択部６に受信経路の切替指示を通知する（Ｈ７）。
【００９９】
又受信経路対応にタイマを設け、データフレーム受信時刻から一定時間経過した時、フレーム識別番号判定部４５は、この受信経路に障害が発生したと判定して、複数の受信経路の中で選択可能の受信経路を判定し（Ｈ６）、受信経路選択部６に受信経路の切替指示を通知する（Ｈ７）。従って、シーケンス番号が不連続の場合、又はデータフレームが一定時間以上受信できない場合に、その受信経路は障害と判定し、他の健全な受信経路に切替えることができる。
【０１００】
従って、各伝送装置は、同期ネットワークの複数の受信経路の正常性をシーケンス番号によって監視し、異常発生を検出すると、正常な受信経路に切替えるものであるから、冗長構成の同期ネットワークの伝送路の障害発生を早期に検出して、正常な伝送路を介して受信した同期データを、ＭＡＣフレーム等の非同期データとして、非同期ネットワークを介して図示を省略した端末へ送出することができる。
【０１０１】
本発明は、前述の各実施の形態にのみ限定されるものではなく、種々付加変更することができるものであり、同期データと非同期データとの関係は、図２に示すＭＡＣフレームとＳＤＨフレームとをＩＴフレームとＩＴセルとを介して変換する場合のみでなく、他の変換手段を適用することも可能である。
【０１０２】
（付記１）非同期ネットワークを介して端末を接続した伝送装置を相互に同期ネットワークにより接続し、送信元端末からの非同期データを送信元伝送装置から複数の伝送路に同時に同期データに変換して送出し、送信先伝送装置は、前記同期ネットワークによる複数の受信経路を選択し、受信した同期データを非同期データに変換して前記非同期ネットワークを介して送信先端末へ送出するデータ伝送システムの伝送装置に於いて、前記同期ネットワークによる複数の受信経路を選択する受信経路選択部と、少なくとも一定の周期で前記同期ネットワークに疎通確認フレームを送出する疎通確認フレーム送出手段と、前記同期ネットワークを介して受信した疎通確認フレームの受信経路対応の受信時刻を格納する疎通確認テーブルと、該疎通確認テーブルに格納された受信時刻と一定周期の現在時刻との差が所定値を超えた時に該受信時刻対応の受信経路に障害が発生したと判定して前記受信経路選択部に受信経路切替指示を送出する受信経路判定部とを備えたことを特徴とする伝送装置。
（付記２）非同期ネットワークを介して端末を接続した伝送装置を相互に同期ネットワークにより接続し、送信元端末からの非同期データを送信元伝送装置から複数の伝送路に同時に同期データに変換して送出し、送信先伝送装置は、前記同期ネットワークによる複数の受信経路を選択し、受信した同期データを非同期データに変換して前記非同期ネットワークを介して送信先端末へ送出するデータ伝送システムの伝送装置に於いて、前記端末からの非同期データの送信元端末識別情報を抽出して受信時刻と共に格納する端末識別学習テーブルと、該端末識別学習テーブルの内容を端末識別通知フレームにより前記同期ネットワークに接続された全伝送装置に送出する端末識別通知フレーム送出手段と、前記同期ネットワークを介して受信した前記端末識別通知フレームの内容の前記端末識別情報を該端末識別通知フレームの送信元伝送装置対応に格納して、各伝送装置配下の端末識別情報を学習する伝送装置識別学習テーブルとを備えたことを特徴とする伝送装置。
【０１０３】
（付記３）前記端末識別通知フレームを少なくとも一定周期で前記同期ネットワークに送出する端末識別通知フレーム送出手段と、前記同期ネットワークを介して受信した前記端末識別通知フレームの受信経路対応の受信時刻を格納する疎通確認テーブルと、該疎通確認テーブルに格納された受信時刻と一定周期の現在時刻との差が所定値を超えた時に該受信時刻対応の受信経路に障害が発生したと判定して前記受信経路の切替えを行わせる受信経路判定部とを備えたことを特徴とする付記２記載の伝送装置。
（付記４）前記端末からの非同期データの送信元端末識別情報を抽出して受信時刻と共に端末識別学習テーブルに格納し、新規送信元端末識別情報を格納した時及び一定周期で前記端末識別学習テーブルの内容を端末識別通知フレームとして送出する指示を行う受信端末識別抽出部と、該受信端末識別抽出部からの端末識別通知フレームの送出指示に従って端末識別通知フレームを前記同期ネットワークの複数の伝送路に前記同期データに変換して送出する伝送路データ送信部と、前記同期ネットワークの複数の伝送路を介して前記同期データを受信して前記非同期データに変換する伝送路データ受信部と、該伝送路データ受信部により受信した複数の伝送路対応の非同期データを選択出力する受信経路選択部と、前記端末識別通知フレームを検出して該端末識別通知フレームの受信経路対応の受信時刻を格納する疎通確認テーブルと、前記端末識別通知フレームによる送信元伝送装置対応の前記端末識別情報を格納する伝送装置識別学習テーブルと、前記疎通確認テーブルの前記受信経路対応の受信時刻を一定周期の現在時刻と比較して所定時間を超えた時に、該受信経路の障害発生と判定して前記受信経路選択部に受信経路切替指示を行う受信経路判定部と、前記端末からの非同期データの送信先端末識別情報に対応した伝送装置識別情報を前記伝送装置識別学習テーブルから読出して前記非同期データに送信先伝送路識別情報として付加する制御を行う伝送路識別検索部とを備えたことを特徴とする付記２又は３記載の伝送装置。
【０１０４】
（付記５）非同期ネットワークを介して端末を接続した伝送装置を相互に同期ネットワークにより接続し、送信元端末からの非同期データを送信元伝送装置から複数の伝送路に同時に同期データに変換して送出し、送信先伝送装置は、前記同期ネットワークによる複数の受信経路を選択し、受信した同期データを非同期データに変換して前記非同期ネットワークを介して送信先端末へ送出するデータ伝送方法に於いて、前記伝送装置から前記同期ネットワークに少なくとも一定周期で疎通確認フレームを送出し、該疎通確認フレームを受信した伝送装置は、受信経路対応に該疎通確認フレームの受信時刻を疎通確認テーブルに格納し、一定周期で前記疎通確認テーブルに格納された受信経路対応の疎通確認フレームの受信時刻と現在時刻とを比較し、その差が所定値を超えた時に、該受信時刻対応の受信経路に障害が発生したと判定して、正常な受信経路を選択するように受信経路選択部を制御する過程を含むことを特徴とするデータ伝送方法。
【０１０５】
（付記６）非同期ネットワークを介して端末を接続した伝送装置を相互に同期ネットワークにより接続し、送信元端末からの非同期データを送信元伝送装置から複数の伝送路に同時に同期データに変換して送出し、送信先伝送装置は、前記同期ネットワークによる複数の受信経路を選択し、受信した同期データを非同期データに変換して前記非同期ネットワークを介して送信先端末へ送出するデータ伝送方法に於いて、前記端末からの非同期データの送信元端末識別情報を抽出して該非同期データの受信時刻と共に端末識別学習テーブルに格納し、該端末識別学習テーブルの内容を端末識別通知フレームにより前記同期ネットワークに接続された全伝送装置に送出し、前記同期ネットワークを介して受信した前記端末識別通知フレームの内容の前記端末識別情報を該端末識別通知フレームの送信元伝送装置対応に伝送装置識別学習テーブルに格納し、前記非同期ネットワークを介した前記端末からの非同期データに、該端末の識別情報を基に前記伝送装置識別学習テーブルを参照して送信先の伝送装置識別情報を付加し、前記同期ネットワークに送出する過程を含むことを特徴とするデータ伝送方法。
（付記７）前記端末識別学習テーブルに新規送信元端末識別情報を格納した時と、少なくとも一定周期とに於いて、該端末識別学習テーブルの内容を端末識別通知フレームとし、且つ同期データに変換して前記同期ネットワークの各伝送路に送出し、前記同期ネットワークを介して受信した前記同期データを非同期データに変換して前記端末識別通知フレームを検出し、該端末識別通知フレームの受信経路対応の受信時刻を疎通確認テーブルに格納し、該疎通確認テーブルの前記受信経路対応の受信時刻を一定周期の現在時刻と比較してその差が所定値を超えた時に該受信経路の障害と判定して受信経路の選択切替えを行わせ、且つ前記端末識別通知フレームによる伝送装置対応の端末識別情報を伝送装置識別学習テーブルに格納し、前記端末からの非同期データの送信先端末識別情報を基に前記伝送装置識別学習テーブルを検索し、該送信先端末識別情報に対応する伝送装置識別情報を、前記非同期データの送信先伝送装置識別情報として付加する過程を含むことを特徴とする付記６記載のデータ伝送方法。
【０１０６】
【発明の効果】
以上説明したように、本発明は、少なくとも一定周期で疎通確認フレームを同期ネットワークに送出することにより、受信経路の正常性を確認することができ、又疎通確認フレームの送出間隔を短くし、且つ判定周期を短くすることにより、スパニング・ツリー・プロトコルによる従来例に比較して高速で正常な受信経路に切替えることができる利点があり、且つ比較的低速処理の機能で実現することができる。
【０１０７】
又各伝送装置は、自伝送装置配下の端末の識別情報を学習して端末識別学習テーブルに格納し、この端末識別学習テーブルの内容を同期ネットワークの各伝送装置に端末識別通知フレームとして送出することにより、複雑な同期ネットワークの場合でも、全伝送装置は、他の伝送装置の配下の端末の識別情報を伝送装置識別学習テーブルに格納することができる。この場合、端末識別通知フレームの受信欠落状態が発生しても、少なくとも一定周期で送出するものであるから、全伝送装置は、正確に端末識別情報対応の伝送装置識別情報を保持することができる。従って、端末からの非同期データの送信先端末識別情報に対応した送信先伝送装置識別情報を付加して同期ネットワークに送出することが可能となる利点がある。
【０１０８】
又端末識別通知フレームは、少なくとも一定周期で送出するものであるから、疎通確認フレームと同様に受信時刻と所定の時間間隔の現在時刻と比較することにより、その受信経路の正常性を確認することができ、受信経路の異常発生を容易に且つ迅速に検出することができる。従って、正常な受信経路に切替えて端末間のデータの送受信を継続することができる利点がある。
【図面の簡単な説明】
【図１】本発明の第１の実施の形態の要部説明図である。
【図２】伝送フォーマットの説明図である。
【図３】ＩＴフレームレイヤ部の要部説明図である。
【図４】疎通確認テーブルの説明図である。
【図５】フレーム構成説明図である。
【図６】受信経路判定部の処理フローチャートである。
【図７】疎通確認フレームの説明図である。
【図８】本発明の第２の実施の形態の要部説明図である。
【図９】端末識別学習テーブルの説明図である。
【図１０】端末識別通知フレーム構成説明図である。
【図１１】伝送装置識別学習テーブルの説明図である。
【図１２】受信端末識別抽出部の処理フローチャートである。
【図１３】受信端末識別抽出部の処理フローチャートである。
【図１４】本発明の第３の実施の形態の要部説明図である。
【図１５】端末識別通知フレームの説明図である。
【図１６】本発明の第４の実施の形態の要部説明図である。
【図１７】端末識別学習処理フローチャートである。
【図１８】端末識別削除処理フローチャートである。
【図１９】本発明の第５の実施の形態の要部説明図である。
【図２０】フレーム構成説明図である。
【図２１】送信フレーム識別番号テーブル及び受信フレーム識別番号テーブルの説明図である。
【図２２】シーケンス番号判定処理フローチャートである。
【図２３】受信経路切替指示の説明図である。
【図２４】本発明の第６の実施の形態の要部説明図である。
【図２５】フレーム構成説明図である。
【図２６】送信フレーム識別番号テーブル及び受信フレーム識別番号テーブルの説明図である。
【図２７】シーケンス番号判定処理フローチャートである。
【図２８】ネットワーク構成説明図である。
【図２９】従来の経路選択機能の要部説明図である。
【図３０】ネットワーク構成説明図である。
【図３１】受信経路選択機能の要部説明図である。
【図３２】受信経路選択機能の要部説明図である。
【図３３】従来の学習機能の説明図である。
【符号の説明】
１  伝送装置
２  伝送路データ送信部
３  伝送路データ受信部
４  端末データ受信部
５  端末データ送信部
６  受信経路選択部
７  受信経路判定部
８  疎通確認テーブル
９  識別部付与部
１０  疎通確認フレーム通知部
【図１】
0003837696.tif 000002
【図２】
0003837696.tif 000003
【図３】
0003837696.tif 000004
【図４】
0003837696.tif 000005
【図５】
0003837696.tif 000006
【図６】
0003837696.tif 000007
【図７】
0003837696.tif 000008
【図８】
0003837696.tif 000009
【図９】
0003837696.tif 000010
【図１０】
0003837696.tif 000011
【図１１】
0003837696.tif 000012
【図１２】
0003837696.tif 000013
【図１３】
0003837696.tif 000014
【図１４】
0003837696.tif 000015
【図１５】
0003837696.tif 000016
【図１６】
0003837696.tif 000017
【図１７】
0003837696.tif 000018
【図１８】
0003837696.tif 000019
【図１９】
0003837696.tif 000020
【図２０】
0003837696.tif 000021
【図２１】
0003837696.tif 000022
【図２２】
0003837696.tif 000023
【図２３】
0003837696.tif 000024
【図２４】
0003837696.tif 000025
【図２５】
0003837696.tif 000026
【図２６】
0003837696.tif 000027
【図２７】
0003837696.tif 000028
【図２８】
0003837696.tif 000029
【図２９】
0003837696.tif 000030
【図３０】
0003837696.tif 000031
【図３１】
0003837696.tif 000032
【図３２】
0003837696.tif 000033
【図３３】
0003837696.tif 000034